(57)【要約】【課題】倉庫内での移設が簡単なリフト棚を提供することを課題としている。【解決手段】前方に突出する荷台３を備えた昇降部４が上下昇降自在に取り付けられた本体６が、倉庫２側に着脱自在に固定される縦方向の支柱１２と、該支柱１２の下端部分に、前方側に突出し、地上床面に固定されることなく接地するように設けられるスタンド１３とを備え、倉庫２内の位置を支柱１２と倉庫２側との固定により維持し、スタンド１３が荷台３の前後方向の略中央位置の直下に延出して前方側への荷重を受ける【選択図】          図１
2004256218.tif 000002
【特許請求の範囲】
【請求項１】
倉庫（２）内に固定される本体（６）と、該本体（６）に上下昇降自在に取り付けられ、前方に突出する荷台（３）を備えた昇降部（４）とからなり、前記荷台（３）に収納物を載置することによって、上記倉庫（２）内の上方空間に収納物を格納することができるリフト棚において、本体（６）が縦方向の支柱（１２）を備え、該支柱（１２）が倉庫（２）側に着脱自在に固定され、該支柱（１２）の下端部分に、前方側に突出し、地上床面に固定されることなく接地するスタンド（１３）を設け、倉庫（２）内の位置を支柱（１２）と倉庫（２）側との固定により維持し、且つスタンド（１３）が荷台（３）の前後方向の略中央位置の直下に延出して前方側への荷重を受けるリフト棚。
【請求項２】
昇降部（４）が、荷台（３）を備えるとともに本体（６）側に昇降自在に支持されるメインユニット（２０）と、該メインユニット（２０）にワンタッチで着脱可能であり、且つ荷台（３）を備える追加ユニット（２１）とからなる請求項１のリフト棚。
【請求項３】
荷台（３）が昇降部（４）から突出する左右一対のフォーク（１８）と、両フォーク（１８）に差し込まれるスキット（１９）とからなる請求項１又は２のリフト棚。
【発明の詳細な説明】
【０００１】
【発明の属する技術分野】
この発明は、プレハブ倉庫内等に設置されるリフト棚に関する。
【０００２】
【従来の技術】
従来農作業機等を格納する倉庫内に設置され、倉庫内の上方の空間に田植機やロータリ耕耘機等の極限られた時期にのみ使用される農作業機等を収納するリフトテーブルが公知となっている（例えば特許文献１参照）。
【０００３】
【特許文献１】
登録実用新案  第３０６３６５１号  公報
【０００４】
【発明が解決しようとする課題】
しかし上記リフトテーブルは、脚を地上床面に固定するためのアンカーボルトの設置工事が必要であり、いったん設置した後は、当該リフトテーブルを、倉庫内で容易に移動させることができないという欠点があった。また農作業機等を載置するテーブルがリフタと一体であるため、荷台としての汎用性が低いという欠点もあった。
【０００５】
【課題を解決するための手段】
上記課題を解決するための本発明のリフト棚は、倉庫２内に固定される本体６と、該本体６に上下昇降自在に取り付けられ、前方に突出する荷台３を備えた昇降部４とからなり、前記荷台３に収納物を載置することによって、上記倉庫２内の上方空間に収納物を格納することができるリフト棚において、本体６が縦方向の支柱１２を備え、該支柱１２が倉庫２側に着脱自在に固定され、該支柱１２の下端部分に、前方側に突出し、地上床面に固定されることなく接地するスタンド１３を設け、倉庫２内の位置を支柱１２と倉庫２側との固定により維持し、且つスタンド１３が荷台３の前後方向の略中央位置の直下に延出して前方側への荷重を受けることを特徴としている。
【０００６】
また昇降部４が、荷台３を備えるとともに本体６側に昇降自在に支持されるメインユニット２０と、該メインユニット２０にワンタッチで着脱可能であり、且つ荷台３を備える追加ユニット２１とからなることを第２の特徴としている。
【０００７】
そして荷台３が昇降部４から突出する左右一対のフォーク１８と、両フォーク１８に差し込まれるスキット１９とからなることを第３の特徴としている。
【０００８】
【発明の実施の形態】
図１は本発明のリフト棚１を倉庫２内に取り付けた状態を示す側面図であり、本リフト棚１は、前方に突出する上下複数段の荷台３を備えた昇降部４が、地上床面側に載置される本体６に上下昇降自在に取り付けられた構造となっている。
【０００９】
そして上記各荷台３上にロータリ耕耘機７やチェーンソー８、肥料缶９等が載置され、すなわち上記各農作業機等が倉庫２内に上下に収納される。これにより極限られた時期にのみ使用される農作業機（本実施形態においてはロータリ耕耘機７）を倉庫２内の上部空間に収納し、且つ倉庫２内の下部空間に種々の農作業機等を収納することができ、倉庫内の地上床面を有効に利用することができる。
【００１０】
なお倉庫２は、横方向の金属製の骨部材（横フレーム）１１を備えたプレハブハウスであり、本リフト棚１は、上記横フレーム１１の前方に置かれて、後述するように横フレーム１１に取り付けられる。またプレハブハウスからなる本倉庫２は従来公知のものであるため、詳細な説明は割愛する。
【００１１】
上記本体６は、図２，図３に示されるように、左右に設けられて立設される縦支柱１２と、該縦支柱１２の下端に設けられ、倉庫内の地上床面に載置されるスタンド１３とを備えており、左右の縦支柱１２の上端を連結する上方フレーム１５にチェーンブロック１０が掛け吊されている。
【００１２】
このとき上記縦支柱１２はチャンネル鋼材からなり、凹部１２ａを内側に向け、両縦支柱１２の凹部１２ａが向き合うように設けられている。そして縦支柱１２は前記倉庫２の横フレーム１１の正面（前方）に配置され、スタンド１３は前方（横フレーム１１の反対側）に突出している。
【００１３】
また縦支柱１２には、横フレーム１１側に突出してプレート１４が一体的に設けられている。一方横フレーム１１には、図１，図３に示されるように、横フレーム１１の外周を３方向から囲むように横フレーム１１側に着脱自在に固定されるブラケット１６が取り付けられる。
【００１４】
そして上記ブラケット１６には前方（縦支柱１２側）に突出する固定プレート１７が一体的に設けられており、上記プレート１４と固定プレート１７とがボルト・ナットを介して連結固定され、これにより横フレーム１２側に縦支柱１２が固定される。
【００１５】
このためプレート１４と固定プレート１７との固定を解除して両プレート１４，１７を分離させることによって、本体６が横フレーム１１から容易に分離され、ブラケット１６を任意の横フレーム１１の任意の位置に取り付けることにより、本体６、すなわち本リフト棚１の倉庫２内における取り付け位置の変更を容易に行うことができる。
【００１６】
なお上記プレート１４には、上下方向の長孔が設けられており、プレート１４と固定プレート１７とは上記長孔を介して固定されている。これにより上記長孔によってプレート１４と固定プレート１７との高さのずれを調節して、スタンド１３が地上床面に接地した状態で縦支柱１２と横フレーム１１とを一体的に固定することができる。
【００１７】
またスタンド１３は、荷台３上の収納物（農作業機等）の重心の略直下となる荷台３の前後方向の略中央付近位置に延出しており、該スタンド１３が接地して本リフト棚１が前方側に倒れる方向の力を受ける。このため本体６は、スタンド１３の接地状態で、位置決めのために縦支柱１２を介して横フレーム１１に取り付け固定することによって、スタンド１３は地上床面に固定されずとも接地して負荷を受け、横フレーム１１側には負荷がほとんど掛からない。
【００１８】
一方上記昇降部４は、前述のように荷台３が上下に３段設けられた構造となっており、各荷台３は左右一対のフォーク１８にスキット１９が挿入装着されて構成されている。そして最上段のフォーク１８が突設されているメインフォークユニット２０に、２段目のフォーク１８が突設されている追加フォークユニット２１が係止されて取り付けられ、さらに上記２段目の追加フォークユニット２１側に、該追加フォークユニット２１と同一構成の追加フォークユニット２１が係止されて取り付けられた構造となっている。
【００１９】
上記メインフォークユニット２０は、図４（ａ），（ｂ）に示されるように、背面視で口字状をなすメインフレーム２２から左右一対のフォーク１８が突出して構成されており、メインフレーム２２は、角パイプ状の左右フレーム２２Ｓと、左右フレーム２２Ｓの後面側に固定されて左右フレーム２２Ｓの上端及び下端側を連結する角パイプ状の上方フレーム２２Ｕ及び下方フレーム２２Ｄから構成されている。
【００２０】
そしてメインフレーム２２の上方の角パイプ状のフレーム２２Ｕがフック２３を介してチェーンブロック１０の吊り上げチェーン２４の下端に掛着されている。またメインフレーム２２の左右フレーム２２Ｓには、下方に向かってプレート２６が取り付けられており、左右のプレート２６間にシャフト２５が横設されている。これにより上記シャフト２５を介して後述するように追加フォークユニット２１を取り付けることが可能となっている。
【００２１】
さらに上記メインフレーム２２には、上方フレーム２２Ｕ及び下方フレーム２２Ｄにブラケット２７が固定されており、該左右のブラケット２７には、回転自在にローラ２８が軸支されている。そして左側のブラケット２７に軸支されたローラ２８が左側の縦支柱１２の凹部１２ａに、右側のブラケット２７に軸支されたローラ２８が右側の縦支柱１２の凹部１２ａにそれぞれ収容され、ローラ２８を介してメインフレーム２２が左右の縦支柱１２に上下スライド自在に取り付けられる。
【００２２】
これによりメインフォークユニット２０が本体６に上下スライド自在に取り付けられ、チェーンブロック１０の操作チェーン２９を操作して吊り下げチェーン２４を巻き上げることによってメインフォークユニット２０（昇降部４）を上昇させ、吊り下げチェーン２４を繰り出すことによってメインフォークユニット２０（昇降部４）を下降させることができる。
【００２３】
なお上記ローラ２８は、ローラ２８を凹部１２ａに収容した際に、凹部１２ａの前後面に回転自在に当接する前後ローラ２８ａと、凹部１２ａの側面に回転自在に当接する左右ローラ２８ｂとからなり、メインフレーム２２の縦支柱１２に対する前後方向の位置が前後ローラ２８ａにより、左右方向の位置が左右ローラ２８ｂによりそれぞれ位置決めされる。これによりメインフレーム２２は、昇降時の揺れ等が防止され、縦支柱１２に沿って安定して上下昇降せしめられる。
【００２４】
また上方フレーム２２Ｕには、左右両側に突出するホルダ３１が設けられており、該ホルダ３１に左右方向に突出するガイドフック３２を取り付けることが可能となっている。そして本実施形態においてはガイドフック３２を取り付け、該ガイドフック３２に上記操作チェーン２９を通し、操作チェーン２９の経路を大きく縦支柱１２の外側に迂回させている。
【００２５】
これにより本リフト棚１の外側に離れた位置において操作チェーン２９を操作して昇降部４を昇降させることができるため、作業者は昇降作業を容易に行うことができる。
【００２６】
一方上記追加フォークユニット２１は、図５（ａ），（ｂ）に示されるように、縦方向の杆状のフレーム（縦フレーム）３３の下端側に、フォーク１８が前方に突出して設けられ、側面視で略Ｌ字形をなす左右一対のフォーク体３４からなる。このとき該フォーク体３４は縦フレーム３３の上端部分にフック３６が設けられている。
【００２７】
そして前述のメインフレーム２２側のシャフト２５に上記フック３６を引っ掛けることによって、追加フォークユニット２１がメインフォークユニット２０の下方に追加されて取り付けられる。このとき縦フレーム３３からは後方に突出してブラケット３７が設けられており、該ブラケット３７に回転自在につば付きローラ３８が軸支されている。
【００２８】
これにより追加フォークユニット２１をメインフォークユニット２０に取り付けると、図６に示されるように、つば付きローラ３８がつば３８ａで縦支柱１２の前面の左右両端を狭持し、ローラ部３８ｂが縦支柱１２の前面に接し、フォーク体３４の縦支柱１２に沿った上下昇降を許容し、且つ縦支柱１２に対するフォーク体３４の左右位置を規制する。これにより追加フォークユニットは、左右方向の揺れ等が防止され、メインフォークユニットとともに縦フレームに沿って昇降する。
【００２９】
なお各フォーク体３４の下端には、前述のメインフレーム２２（左右フレーム２２Ｓ）の下端に設けられているプレート２６と同様のプレート２６が設けられており、左右のフォーク体３４のプレート２６間に前述のシャフト２５が横設されている。
【００３０】
これにより左右のフォーク体３４の間のシャフト２５にフォーク体３４をフックすることにより、追加フォークユニット２１の下方に更に追加フォークユニット２１を設けることができ、本実施形態においてはメインフォークユニット２０のフォーク１８を含め、フォーク１８を全部で３段としている。なお図５（ａ），（ｂ）は、追加フォークユニット２１同士を連結させて、フォーク１８を多段にしている図である。
【００３１】
昇降部４は以上のようにメインフォークユニット２０と追加フォークユニット２１とを組み合わせて構成されており、前述のようにメインフォークユニット２０をチェーンブロック１０によって昇降させることにより、縦支柱１２に沿って上下昇降せしめられる。この際メインフォークユニット２０及び追加フォークユニット２１の揺れが上記のように防止されるため、昇降部４は揺れが防止された状態で安定して昇降せしめられる。
【００３２】
一方メインフォークユニット２０のメインフレーム２２には、左右両側に落下防止具３９が設けられており、該落下防止具３９によりメインフォークユニット２０の落下を防止することによって、昇降部４の落下を防止するように構成されている。
【００３３】
このとき上記落下防止具３９は、図７，図８に示されるように、メインフレーム２２を構成する下方フレーム２２Ｄの上面側に左右方向に設けられたパイプ４１と、該パイプ４１内に回動自在に挿入されているシャフト４２と、該シャフト４２の両端に一体的に設けられ、メインフレーム２２における左右フレーム２２Ｓの側方に位置するプレート状の落下ストッパ４３等から構成されている。
【００３４】
そして落下ストッパ４３にはレバー４４が外側に、ピン４６が内側に突出して設けられており、上記ピン４６の端部が下方フレーム２２Ｄ内に挿入されている。これによりシャフト４２を軸心とした落下ストッパ４３の揺動範囲は、ピン４６が下方フレーム２２Ｄの前後内面に当接する範囲に規制される。
【００３５】
また左右のレバー４４と左右フレーム２２Ｓとの間には、引張りばね４７が張設されており、落下ストッパ４３は、支点越えにより上記引張りばね４７によってピン４６が下方フレーム２２Ｄの前内面又は後内面に弾力的に当接するように付勢される。
【００３６】
これによりレバー４４を操作することにより、落下ストッパ４３は、ピン４６が下方フレーム２２Ｄの前内面に当接する落下防止の解除姿勢Ａと、ピン４６が下方フレーム２２Ｄの後面に当接する落下防止の作用姿勢Ｂとに姿勢を切換えることが可能となっている。
【００３７】
そして作用姿勢Ｂ時に落下ストッパ４３は、先端に設けられた係合部４３ａが、縦支柱１２の外側面に設けられたピン４８に上方側から係合し、メインフォークユニット２０の落下を防止する。なおピン４８は上下に複数設けられており、メインフォークユニット２０の高さは、落下ストッパ４３と係合するピン４８の位置によって段階的に位置決めされる。また落下ストッパ４３は、解除姿勢Ａ時には、係合部４３とピン４８とが係合しない位置となる。
【００３８】
これにより昇降部４を上昇させる際には、落下ストッパ４３を作用姿勢Ｂとすることにより、メインフォークユニット２０の上昇に伴い、落下ストッパ４３は端面がピン４８に案内され、係合部４３ａがピン４８に順次係合し、所定のピン４８と落下ストッパ４３との係合時に昇降部４の上昇を停止させることによって、昇降部４は落下が防止された状態で位置決めされる。
【００３９】
そして昇降部４を下降させる際には、落下ストッパ４３を解除姿勢Ａとすることにより、係合部４３ａとピン４８との係合が解除され、且つ係合部４３ａとピン４８とが係合しないため、昇降部４はピン４８に妨げられることなく、円滑に下降する。
【００４０】
本リフト棚１は以上のように構成されており、メインフォークユニット２０のフォーク１８にスキット１９を挿入し、追加フォークユニット２１を取り外した状態でメインフォークユニット２０を接地状態に下降させることによって、メインフォークユニット２０のスキット１９にロータリ耕耘機等の重量物を容易に載置することができる。
【００４１】
そしてこの後メインフォークユニット２０を上昇させ、所定の高さにおいて落下防止状態で位置決めすることによって、極限られた期間にのみ使用する、換言すると１年の多くの期間保管されているような農機具等を、倉庫２内の上方の空間に容易に収納することができる。
【００４２】
そしてこの状態においてメインフォークユニット２０の下方に追加フォークユニット２１を取り付けることにより、メインフォークユニット２１の下方の空間に、多段で種々の農機具等を収納することができ、倉庫２内の空間を有効利用することができる。このとき追加フォークユニット２１は前述のようにワンタッチで着脱することができるため、収納物等に応じて昇降部４の棚構成を容易に変更することができる。
【００４３】
また荷台３は２本のフォーク１８に市販のスキット１９を差し込むことによって形成されるため、任意の収納物に対してスキット１９を自由に選択することができ、荷台３の構成上の自由度が高く、容易に収納物に応じた荷台を構成することができる。
【００４４】
なお本体６は前述のように位置決めのために倉庫２の横フレーム１１に着脱自在に固定され、スタンド１３が前方への荷重を受ける構造であるため、倉庫２への取り付け状態においては倒れることはなく、またスタンド１３が地上床面に固定されていないため、本リフト棚１の移動が容易であり、倉庫２内の必要な場所に、容易に設置することができる。
【００４５】
このときスタンド１３が本体６を下方から支持しているため、プレート１４と固定プレート１７の固定及び分離を容易に行うことができ、リフト棚１の移設はより容易である。
【００４６】
【発明の効果】
以上のように構成される本発明の構造によると、本体は、位置決めのために支柱を介して倉庫の横方向のフレームに取り付け固定され、且つスタンドが接地して前方側への荷重を受け、上記横方向のフレーム側に前方側への荷重がほとんど掛からないため、スタンドを地上床面に固定しなくてもすむ。
【００４７】
これにより本体を上記横方向のフレームから分離することによって、本リフト棚の倉庫内における取り付け位置の変更を容易に行うことができ、また倉庫側への固定箇所が倉庫側の横方向のフレームと支柱との間のみであり、且つ横方向のフレーム側に前方側への荷重がほとんど掛からないため、本リフト棚と倉庫との着脱が容易であるという効果がある。
【００４８】
一方昇降部を、メインユニットと、該メインユニットにワンタッチで着脱可能な追加ユニットとから構成することにより、昇降部を容易に多段棚とすることができ、収納物等に応じて昇降部の棚構成を容易に変更することができるという利点もある。
【００４９】
そして荷台を昇降部から突出する左右一対のフォークと、両フォークに差し込まれるスキットとから構成することにより、任意の収納物に対してスキットを自由に選択することができ、荷台の構成上の自由度が高く、容易に収納物に応じた荷台を構成することができるという効果がある。
【図面の簡単な説明】
【図１】本リフト棚を倉庫内に取り付けた状態を示す側面図である。
【図２】本リフト棚の正面図である。
【図３】本リフト棚の要部平面図である。
【図４】（ａ）は、メインフォークユニットの側面図、（ｂ）は、メインフォークユニットの背面図である。
【図５】（ａ）は、追加フォークユニットの側面図、（ｂ）は、追加フォークユニットの背面図である。
【図６】追加フォークユニットを本体に取り付けた状態を示す要部平面図である。
【図７】落下防止部部分の要部側面図である。
【図８】落下防止部部分の要部正面部分断面図である。
【符号の説明】
２      倉庫
３      荷台
４      昇降部
６      本体
１１    横フレーム（横方向のフレーム）
１２    縦支柱（支柱）
１３    スタンド
１８    フォーク
１９    スキット
２０    メインフォークユニット（メインユニット）
２１    追加フォークユニット（追加ユニット）
【図１】
2004256218.tif 000003
【図２】
2004256218.tif 000004
【図３】
2004256218.tif 000005
【図４】
2004256218.tif 000006
【図５】
2004256218.tif 000007
【図６】
2004256218.tif 000008
【図７】
2004256218.tif 000009
【図８】
2004256218.tif 000010